(57)【要約】【課題】面ファスナーのフックを用いたゴミ収納具であって、釣り糸のような手にまとわりつきやすいゴミを容易に面ファスナーに付着させることができるゴミ収納具を提供する。【解決手段】ゴミ収納具１は、ケース本体５とカバー部１０５を有するケース部３と、ケース本体５に対して回転可能に取り付けられた面ファスナー取付部２００と、面ファスナーを有し、面ファスナー取付部２００は、取付部本体２１０と、締付け部２３０を有し、取付部本体２１０は、把手部２１２と、突出部２１４と、巻付け部２１６と、先端部２２０を有し、先端部２２０は、板状部２２２と、突出部２２４とを有している。面ファスナーは、巻付け部２１６に巻き付けられる。巻付け部２１６に巻き付けられた面ファスナーの外側の面には、面ファスナーのフックが設けられている。【選択図】図４
0003231456.tif 000002
【実用新案登録請求の範囲】
【請求項１】
釣り用のゴミ収納具であって、
上端に開口部が設けられた容器状を呈し、間隔を介して対向して設けられた一対の側面部（１０、４０）を有するケース本体（５）と、ケース本体の開口部を開閉するカバー部（１０５）とを有するケース部（３）と、
ケース本体における該一対の側面部に回転可能に支持された面ファスナー取付部で、ケース本体内に設けられた巻付け部で、面ファスナーを巻き付けるための巻付け部（２１６）と、面ファスナー取付部を回転させるための把手部（２１２）とを有する面ファスナー取付部（２００）と、
面ファスナー取付部の巻付け部に巻き付けられた面ファスナーで、一方の面にフック面を有し、該フック面を外側にして、面ファスナー取付部の回転中心である軸線（Ｊ）に対して周状に巻き付けられた面ファスナー（２４０）と、
を有することを特徴とするゴミ収納具。
【請求項２】
巻付け部には、面ファスナーの端部を差し込むための溝部（２１７、２１８）が形成され、面ファスナーが、面ファスナーの端部が溝部に差し込まれた状態で、巻付け部に巻き付けられていることを特徴とする請求項１に記載のゴミ収納具。
【請求項３】
ケース本体の一対の側面部における一方の側面部（１０）に、円形の第１開口部（１６）が設けられるとともに、他方の側面部（４０）に、円形の第２開口部（４６）が設けられ、
面ファスナー取付部は、把手部と巻付け部の間に、円形の周面を有し第１開口部内に回転可能に設けられた略板状の第１回転部（２１４）を有するとともに、巻付け部の第１回転部側とは反対側に先端部（２２０）を有し、
先端部は、円形の周面を有し第２開口部内に回転可能に設けられた略板状の第２回転部（２２４）を有し、
さらに、面ファスナー取付部は、第２回転部の巻付け部とは反対側の端部に、他方の側面部の外側から固定され、面ファスナー取付部のケース本体からの脱落を防止するための固定具（２３０）を有し、
把手部を回転させることにより、第１回転部が第１開口部内で回転し、第２回転部が第２開口部内で回転するとともに、巻付け部が回転することを特徴とする請求項１又は２に記載のゴミ収納具。
【請求項４】
面ファスナーの他方の面にループ面が設けられていることを特徴とする請求項１又は２又は３に記載のゴミ収納具。
【考案の詳細な説明】
【技術分野】
【０００１】
本考案は、釣り用ゴミ収納具に関するものであり、特に、面ファスナーを用いた釣り用ゴミ収納具に関するものである。
【背景技術】
【０００２】
従来より、釣り糸、おもり等の釣りの際に発生するゴミを収納する釣り用のゴミ収納具で、面ファスナー、特に、面ファスナーのフックを用いた釣り用のゴミ収納具としては、特許文献１、特許文献２に記載のものが存在する。
【０００３】
特許文献１の携帯用ゴミ収納具においては、開閉自在に形成されたゴミ収納具本体２、２ａと、ゴミ収納具本体に設けられたゴミ付着片５、５ａとが設けられ、ゴミ付着片５、５ａには、面ファスナーのオス（つまり、フック）が用いられている。
【０００４】
また、特許文献２に記載の釣り用ごみ入れにおいては、ごみ付着部を有し、ごみ付着部を内側にして側面視Ｖ字状又はＵ字状に折り曲げられた折り曲げシート１と、折り曲げシートを収納する収納空間及び収納空間の開口部を形成する容器本体２とが設けられていて、折り曲げシート１には、面ファスナーのフックが用いられている。
【先行技術文献】
【特許文献】
【０００５】
【特許文献１】特開２００９−２８４７８６号公報
【特許文献２】登録実用新案第３０５１８７９号公報
【考案の概要】
【考案が解決しようとする課題】
【０００６】
しかし、特許文献１の携帯用ゴミ収納具においては、ゴミ付着片５が本体蓋部４の表面に接着されるとともに、本体取付部３に接着されていて、平板状のシート状を呈するので、ゴミ、特に、釣り糸のような手にまとわりつきやすいものを付着させるのが困難であった。つまり、釣り糸の場合、釣り糸の一部がゴミ付着片に付着しても、釣り糸の付着してない部分は手に残ったままとなるため、釣り糸全体を手でゴミ付着片に付着させなければならず手間がかかるという問題があった。
【０００７】
また、特許文献２の釣り用ごみ入れの場合でも、側面視Ｖ字状又はＵ字状に折り曲げられ折り曲げシートを開いた状態でゴミを折り曲げシートに付着させるが、この場合でも、ゴミ、特に、手にまとわりつきやすいものを付着させるのが困難であり、例えば、釣り糸の場合、釣り糸の一部が折り曲げシートに付着しても、釣り糸の付着してない部分は手に残ったままとなるため、釣り糸全体を手で折り曲げシートに付着させなければならず手間がかかるという問題があった。
【０００８】
そこで、本考案は、面ファスナーのフックを用いた釣り用のゴミ収納具であって、釣り糸のような手にまとわりつきやすいゴミを容易に面ファスナーに付着させることができるゴミ収納具を提供することを目的とするものである。
【課題を解決するための手段】
【０００９】
本考案は上記問題点を解決するために創作されたものであって、第１には、釣り用のゴミ収納具であって、上端に開口部が設けられた容器状を呈し、間隔を介して対向して設けられた一対の側面部（１０、４０）を有するケース本体（５）と、ケース本体の開口部を開閉するカバー部（１０５）とを有するケース部（３）と、ケース本体における該一対の側面部に回転可能に支持された面ファスナー取付部で、ケース本体内に設けられた巻付け部で、面ファスナーを巻き付けるための巻付け部（２１６）と、面ファスナー取付部を回転させるための把手部（２１２）とを有する面ファスナー取付部（２００）と、面ファスナー取付部の巻付け部に巻き付けられた面ファスナーで、一方の面にフック面を有し、該フック面を外側にして、面ファスナー取付部の回転中心である軸線（Ｊ）に対して周状に巻き付けられた面ファスナー（２４０）と、を有することを特徴とする。
【００１０】
第１の構成のゴミ収納具によれば、面ファスナー取付部に面ファスナーが巻き付けられて装着された状態で、把手部を回転させることにより、面ファスナーを回転させることができるので、釣り糸のような手にまとわりつくゴミを容易に面ファスナーに付着させることができ、釣り糸のような手にまとわりつくゴミを容易にゴミ収納具に収納させることができる。なお、上記把手部を「ケース本体の外側に設けられ、面ファスナー取付部を回転させるための把手部（２１２）」としてもよい。
【００１１】
なお、上記第１の構成を以下のようにしてもよい。すなわち、「釣り用のゴミ収納具であって、上端に開口部が設けられた容器状を呈し、間隔を介して対向して設けられた一対の側面部（１０、４０）を有するケース本体（５）と、ケース本体の開口部を開閉するカバー部（１０５）とを有するケース部（３）と、ケース本体における一対の側面部に回転可能に支持された面ファスナー取付部で、ケース本体内に面ファスナーを巻き付けるための巻付け部で、一方の面にフック面が設けられた面ファスナーの端部を差し込むための溝部で面ファスナー取付部の回転中心である軸線（Ｊ）と略平行な方向に形成された開口部を有する溝部（２１７、２１８）が形成された巻付け部（２１６）を有するとともに、ケース本体の外側に設けられ、面ファスナー取付部を回転させるための把手部（２１２）を有する面ファスナー取付部（２００）と、を有することを特徴とするゴミ収納具。」としてもよい。
【００１２】
また、第２には、上記第１の構成において、巻付け部には、面ファスナーの端部を差し込むための溝部（２１７、２１８）が形成され、面ファスナーが、面ファスナーの端部が溝部に差し込まれた状態で、巻付け部に巻き付けられていることを特徴とする。
【００１３】
第２の構成によれば、溝部に面ファスナーの端部を溝部に差し込むことにより該端部を固定することができ、面ファスナーを巻付け部に容易に巻き付けることができる。
【００１４】
また、第３には、上記第１又は第２の構成において、ケース本体の一対の側面部における一方の側面部（１０）に、円形の第１開口部（１６）が設けられるとともに、他方の側面部（４０）に、円形の第２開口部（４６）が設けられ、面ファスナー取付部は、把手部と巻付け部の間に、円形の周面を有し第１開口部内に回転可能に設けられた略板状の第１回転部（２１４）を有するとともに、巻付け部の第１回転部側とは反対側に先端部（２２０）を有し、先端部は、円形の周面を有し第２開口部内に回転可能に設けられた略板状の第２回転部（２２４）を有し、さらに、面ファスナー取付部は、第２回転部の巻付け部とは反対側の端部に、他方の側面部の外側から固定され、面ファスナー取付部のケース本体からの脱落を防止するための固定具（２３０）を有し、把手部を回転させることにより、第１回転部が第１開口部内で回転し、第２回転部が第２開口部内で回転するとともに、巻付け部が回転することを特徴とする。
【００１５】
第３の構成によれば、把手部を回転させることにより、第１回転部が第１開口部内で回転し、第２回転部が第２開口部内で回転するので、面ファスナー取付部をスムーズに回転させることができる。
【００１６】
なお、上記第３の構成を以下の構成としてもよい。すなわち、「上記第１又は第２の構成において、ケース本体の一対の側面部における一方の側面部（１０）に、円形の第１開口部（１６）が設けられるとともに、他方の側面部（４０）に、円形の第２開口部（４６）が設けられ、面ファスナー取付部は、把手部と巻付け部を有する取付部本体（２１０）と、取付部本体に対して着脱自在な固定具（２３０）とを有し、取付部本体は、把手部と巻付け部の間に、円形の周面を有し第１開口部内に回転可能に設けられた略板状の第１回転部（２１４）を有し、先端部は、巻取り部から連設され、第２開口部よりも大径の板状部（２２２）と、板状部の巻取り部とは反対側に連設された第２回転部で、円形の周面を有し第２開口部内に回転可能に設けられた略板状の第２回転部（２２４）とを有し、固定具は、第２開口部よりも大径に形成され、他方の側面部の外側から先端部の第２回転部に固定されていて、把手部を回転させることにより、第１回転部が第１開口部内で回転し、第２回転部が第２開口部内で回転するとともに、巻付け部が回転することを特徴とする。」としてもよい。
【００１７】
また、第４には、上記第１から第３までのいずれかの構成において、面ファスナーの他方の面にループ面が設けられていることを特徴とする。
【００１８】
また、第５の構成として、以下の構成としてもよい。すなわち、「上記第１から第４までのいずれかの構成において、ケース本体が、上記一対の側面部を有する周状の周壁部と、該周壁部の下端から連設された底面部（５０）を有することを特徴とする。」としてもよい。
【考案の効果】
【００１９】
本考案に基づくゴミ収納具によれば、面ファスナー取付部に面ファスナーが巻き付けられて装着された状態で、把手部を回転させることにより、面ファスナーを回転させることができるので、釣り糸のような手にまとわりつくゴミを容易に面ファスナーに付着させることができ、釣り糸のような手にまとわりつくゴミを容易にゴミ収納具に収納させることができる。
【図面の簡単な説明】
【００２０】
【図１】ゴミ収納具の前方斜視図で、カバー部を閉じた状態を示す前方斜視図である。
【図２】ゴミ収納具の前方斜視図で、カバー部を開けた状態を示す前方斜視図である。
【図３】ゴミ収納具の後方斜視図で、カバー部を開けた状態を示す前方斜視図である。
【図４】ゴミ収納具の分割斜視図である。
【図５】ケース本体の後方斜視図である。
【図６】カバー部の前方斜視図である。
【図７】面ファスナーを面ファスナー取付部に巻き付ける方法を示す説明図である。
【図８】ゴミ収納具にベルトを取り付けた状態を示す後方斜視図である。
【考案を実施するための形態】
【００２１】
本考案においては、面ファスナーのフックを用いたゴミ収納具であって、釣り糸のような手にまとわりつきやすいゴミを容易に面ファスナーに付着させることができるゴミ収納具を提供するという目的を以下のようにして実現した。
【００２２】
本考案に基づくゴミ収納具１は、魚釣り用のゴミ収納具であり、図１〜図６に示すように形成され、ゴミ収納具１は、ケース部３と、ケース部３の本体部７に対して回転可能に取り付けられた面ファスナー取付部（ゴミ付着具取付部）２００と、面ファスナー取付部２００に巻回して取り付けられた面ファスナー（ゴミ付着具）２４０とを有している。
【００２３】
ここで、ケース部３は、ケース部３の本体をなすケース本体５と、ケース本体５に対して開閉するカバー部１０５と、ケース本体５にスライド可能に取り付けられた蓋部１７０とを有している。
【００２４】
ケース本体５は、略容器状を呈し、本体部７と、本体部７内に設けられた仕切り部６０と、本体部７内の正面部１０と左側面部３０の角部位置に設けられた棒状部７０と、本体部７と棒状部７０間を連結する連結部７２とを有している。
【００２５】
本体部７は、正面部１０と、正面部１０の右端から連設された右側面部２０と、正面部１０の左端から連設された左側面部３０と、右側面部２０及び左側面部３０の後端から連設された背面部４０と、正面部１０と右側面部２０と左側面部３０と背面部４０の下端から連設された底面部５０とを有している。
【００２６】
正面部１０は、略平板状を呈し、その上端の内側には、横長直方体形状の切欠部１２が設けられて、切欠部１２の下端位置には、左右方向に伸びた帯状縁部１４が形成されている。
【００２７】
なお、正面部１０には、円形の開口部（第１開口部）１６が形成されている。開口部１６は、正面部１０の正面側から背面側まで貫通する穴部であり、面ファスナー取付部２００をケース本体５に取り付けた際には、面ファスナー取付部２００における取付部本体２１０の突出部２１４が、開口部１６内に回転可能に設けられる。
【００２８】
右側面部２０は、略平板状を呈し、正面部１０に対して略直角をなしている。右側面部２０の上端の内側には、横長直方体形状の切欠部２２が設けられて、切欠部２２の下端位置には、前後方向に伸びた帯状縁部２４が形成されている。帯状縁部２４は、帯状縁部１４、４４から連設されている。
【００２９】
左側面部３０は、略平板状の左側面部本体部３２と、左側面部本体部３２の前端と正面部１０の左端の間に設けられた突状部３４を有している。
【００３０】
左側面部本体部３２は、右側面部２０に対して略平行に形成されている。
【００３１】
突状部３４は、横断面が略Ｌ字状を呈し、左側面部本体部３２の前端から左側面側に連設され、左側面部本体部３２に対して直角をなす板状部３６と、板状部３６の左端と正面部１０の左端の間に設けられ、前後方向に形成された板状部３８とを有している。この突状部３４は、ケース本体５にカバー部１０５を取り付け、カバー部１０５をケース本体５に対して閉じた状態では、カバー部１０５の左側面部１３０の正面側に位置する。
【００３２】
背面部４０は、右側面部２０の後端と左側面部３０の後端（つまり、左側面部本体部３２の後端）から連設され、略平板状を呈し、正面部１０に対して略平行に形成されている。
【００３３】
背面部４０の上端の内側には、横長直方体形状の切欠部４２が設けられて、切欠部４２の下端位置には、左右方向に伸びた帯状縁部４４が形成されている。
【００３４】
帯状縁部１４と帯状縁部２４と帯状縁部４４の上下方向の形成位置は、同じ高さに形成され、この帯状縁部１４、４４の上面に沿って蓋部１７０がスライドするようになっている。
【００３５】
なお、背面部４０には、円形の開口部４６が形成されている。開口部４６は、背面部４０の正面側から背面側まで貫通する穴部であり、面ファスナー取付部２００をケース本体５に取り付けた際には、面ファスナー取付部２００における先端部２２０の突出部２２４が、開口部４６内に回転可能に設けられる。
【００３６】
なお、正面部１０の上端と右側面部２０の上端と左側面部３０の上端と背面部４０の上端は、同じ高さに形成され、それらの上端を含む仮想平面は、底面部５０と平行となっている。
【００３７】
なお、正面部１０と背面部４０とで、間隔を介して対向して設けられた一対の側面部が構成される。
【００３８】
また、底面部５０は、正面部１０の下端と右側面部２０の下端と左側面部３０の下端と背面部４０の下端から連設され、正面部１０と右側面部２０と左側面部３０と背面部４０に対して略直角の略板状を呈していて、底面部５０は、ケース本体５の底面を構成している。
【００３９】
また、仕切り部６０は、ケース本体５内の空間を仕切るものであり、前後方向に形成されている。
【００４０】
すなわち、仕切り部６０は、前後方向に形成された板状の板状部６２と、板状部６２の前後方向の略中間位置から左側面側に連設され、上下方向に形成された突状部６４を有している。突状部６４の上端には、ネジ穴（図示せず）が設けられ、ネジ１７６が螺合される。板状部６２は、正面部１０と背面部４０と底面部５０から連設されている。
【００４１】
なお、仕切り部６０の上端は、帯状縁部１４、２４、４４と同じ高さに形成されている。また、この仕切り部６０により、ケース本体５内の空間が区画され、区画された２つの空間Ｓ１、Ｓ２のうち、右側面側の空間Ｓ２が、取付部本体２１０の巻付け部２１６を配置するための空間となる。
【００４２】
また、棒状部７０は、円柱状を呈し、本体部７の上端（具体的には、正面部１０と左側面部３０の上端）から上方に突出するとともに、底面部５０の下端から突出して形成されている。この棒状部７０の上端部分は、カバー部１０５の穴部１４３に挿入され、棒状部７０の下端部分は、カバー部１０５の穴部１１７に挿入される。
【００４３】
また、連結部７２は、正面部１０及び左側面部３０の角部と棒状部７０間に設けられ、正面部１０及び左側面部３０の角部を棒状部７０を連結している。
【００４４】
また、カバー部１０５は、底面部１１０と、底面部１１０の後端から連設された背面部１２０と、底面部１１０の左端及び背面部１２０の左端から連設された左側面部１３０と、背面部１２０の上端及び左側面部１３０の上端から連設された上面部１４０を有している。
【００４５】
底面部１１０は、略平板状を呈し、略平板状の本体部１１２と、本体部１１２の切欠部１１３内に設けられたロック部１１４とを有している。
【００４６】
本体部１１２は、略長方形状を呈し、その背面側には、方形状の切欠部１１３が設けられ、また、前左側の角部には、本体部１１２の上面から下面まで貫通した円形の穴部１１７が設けられている。
【００４７】
ロック部１１４は、切欠部１１３の基端から連設され、切欠部１１３内に設けられた板状部１１５と、板状部１１５の上面における先端から上方に突出した突出部１１６を有している。突出部１１６は、本体部１１２の上面よりも上方に突出して形成されている。このロック部１１４は、ケース本体５をカバー部１０５に対して閉じて閉状態とした際に、突出部１１６がケース本体５の底面部５０の下面を押圧して、閉状態を維持するためのものである。
【００４８】
この底面部１１０は、カバー部１０５をケース本体５に対して閉じた際には、ケース本体５の底面部５０の下側に位置する。
【００４９】
また、背面部１２０は、底面部１１０と上面部１４０間に設けられた略平板状の本体部１２２と、本体部１２２から背面側に突出した膨出部１２６とを有している。
【００５０】
本体部１２２の下端には、切欠部１１３から連続した横長方形状の切欠部１２３と、ベルト掛け部１６０の本体部１２２との接続位置に設けられた開口部１２４、１２５が設けられ、さらに、ベルト掛け部１５０の本体部１２２との接続位置に設けられた一対の開口部（開口部１２４、１２５と同様の構成の開口部、図示せず）が設けられている。
【００５１】
膨出部１２６は、略横長直方体形状を呈し、カバー部１０５をケース本体５に対して閉じた際に、膨出部１２６の内側の空間に、締付け部２３０が配置される。背面部１２０は、カバー部１０５をケース本体５に対して閉じた際には、ケース本体５の背面部４０の背面側に位置する。
【００５２】
また、左側面部１３０は、略平板状を呈し、左側面部１３０は、カバー部１０５をケース本体５に対して閉じた際には、ケース本体５の左側面部３０（特に、左側面部本体部３２）の左側面側に位置する。
【００５３】
なお、左側面部１３０は、底面部１１０の前後方向の長さよりも短く形成され、底面部１１０の左辺の前側部分には、左側面部１３０は設けられてない。つまり、カバー部１０５をケース本体５に対して閉じた際には、左側面部１３０の正面側には、ケース本体５の左側面部３０の突状部３４が位置する。
【００５４】
また、上面部１４０は、略方形状の平板状を呈し、後左側の角部には、上面部１４０の上面から下面まで貫通した円形の穴部１４３が設けられている。
【００５５】
なお、底面部１１０と上面部１４０の前後方向の長さは、カバー部１０５をケース本体５に対して閉じた際に、正面部１０の正面側の端部と底面部１１０及び上面部１４０の正面側の端部が略一致する長さに形成され、また、底面部１１０と上面部１４０の左右方向の長さは、カバー部１０５をケース本体５に対して閉じた際に、右側面部２０の右側面側の端部と、底面部１１０、上面部１４０及び背面部１２０の右側面側の端部とが略一致する長さに形成されている。また、背面部１２０の上下方向の長さは、ケース本体５がカバー部１０５に対して回動可能で、カバー部１０５をケース本体５に対して閉じた際には、底面部５０と底面部１１０とが僅かな隙間を介して対向し、本体部７の上端と上面部１４０とが僅かな隙間を介して対向する長さに形成されている。
【００５６】
次に、蓋部１７０は、略トレー状を呈し、左右方向に形成された溝状開口部１７２と、上方に突出する突出部１７４とを有し、溝状開口部１７２は、その断面が段状に形成され、溝状開口部１７２における下側の幅（前後方向及び左右方向の幅）が上側の幅（前後方向及び左右方向の幅）よりも短く形成されている。つまり、溝状開口部１７２は、下側の幅狭部と、上側の幅広部とを有している。
【００５７】
蓋部１７０は、方形状の外形を有する底面部１７０ａと、底面部１７０ａの四方から上方に連設された側壁部とを有している。溝状開口部１７２と突出部１７４は、底面部１７０ａに設けられている。
【００５８】
この溝状開口部１７２の幅広部内には、円環状部１７８が設けられ、円環状部１７８には、ネジ１７６が挿通されて、該ネジ１７６は、仕切り部６０のネジ穴に螺合して固定されている。なお、円環状部１７８は、円形のリング状を呈し、幅広部の前後方向の幅よりも小さい径を有するとともに、幅狭部の前後方向の幅よりも大きい径を有し、ネジ１７６の頭部の径は、円環状部１７８の穴部の径よりも大きく形成されている。
【００５９】
これにより、蓋部１７０は、ネジ１７６及び円環状部１７８によりケース本体５から脱落しないように構成されている。
【００６０】
蓋部１７０は、正面部１０の切欠部１２と背面部４０の切欠部４２間に設けられ、蓋部１７０の底面部１７０ａは、帯状縁部１４、４４の上面に設けられ、蓋部１７０は、帯状縁部１４、４４の上面に沿って左右方向にスライドする。
【００６１】
ケース本体５と、カバー部１０５と、蓋部１７０は、それぞれ、全体に合成樹脂により一体に形成されている。
【００６２】
次に、面ファスナー取付部２００は、取付部本体２１０と、取付部本体２１０に対して着脱する締付け部（固定具）２３０とを有している。
【００６３】
取付部本体２１０は、把手部２１２と、把手部２１２の背面側に連設された突出部２１４と、突出部２１４の背面側に連設された巻付け部２１６と、巻付け部２１６の背面側に連設された先端部２２０とを有している。
【００６４】
ここで、把手部２１２は、略円形の板状（つまり、略円柱状の周面を有する板状）を呈し、把手部２１２の背面側の面は平面状となっていて、その周面には、凹凸が形成されている。
【００６５】
突出部（第１回転部）２１４は、円形の板状を呈し、突出部２１４の径は、把手部２１２の径よりも小さく形成されるとともに、正面部１０の開口部１６の径と略同一に（具体的には、開口部１６の径よりも若干小さく）形成され、突出部２１４は、開口部１６内で回転可能となっている。つまり、取付部本体２１０は、突出部２１４が開口部１６内に設けられることにより、正面部１０に支持される。突出部２１４の厚みは、開口部１６の厚みと略同一に形成されている。
【００６６】
また、巻付け部２１６は、円柱状の周面を有するとともに、周面の軸線に対して直角方向に形成された一対の溝部２１７、２１８が形成されている。溝部２１７、２１８は、互いに間隔を介して互いに平行に設けられ、巻付け部２１６を貫通して形成され、溝部２１７、２１８は貫通穴であるので、溝部２１７、２１８の各溝部は、それぞれ２つの開口部を有している。溝部２１７、２１８の開口部は、周面の軸線Ｊに対して平行（略平行としてもよい）な方向に形成され、各溝部の内側には、該軸線Ｊと平行な一対の平面が設けられている。これにより、各溝部における２つの開口部間の方向は、軸線Ｊの方向に対して直角となる。この溝部２１７、２１８は、帯状の面ファスナー２４０を差し込むことにより用いられる。
【００６７】
巻付け部２１６の周面の径は、突出部２１４の径や板状部２２２の径よりも小さく形成されている。
【００６８】
なお、巻付け部２１６には、一対の溝部２１７、２１８が設けられるとしたが、面ファスナー２４０の長手方向の一方の端部を差し込むことができればよいので、１つの開口部のみを設けてもよい。また、溝部２１７、２１８は、貫通穴であるとしたが、面ファスナーを差し込むことができればよいので、貫通していない穴であってもよい。
【００６９】
巻付け部２１６には、溝部２１７、２１８が設けられているので、面ファスナー２４０の端部を溝部２１７又は溝部２１８に差し込むことにより、該端部を固定することができ、面ファスナー２４０を巻付け部２１６に容易に巻き付けることができる。
【００７０】
また、先端部２２０は、巻付け部２１６の背面側の端部から連設された円形板状の板状部２２２と、板状部２２２の背面に連設された突出部２２４とを有している。
【００７１】
板状部２２２は、背面部４０の開口部４６よりも大きい径を有し、面ファスナー取付部２００がケース本体５に取り付けられた状態で、先端部２２０がケース本体５の外側に脱落しないようになっている。
【００７２】
突出部（第２回転部）２２４は、円形の板状を呈し、突出部２２４の径は、板状部２２２の径よりも小さく形成されるとともに、背面部４０の開口部４６の径と略同一に（具体的には、開口部４６の径よりも若干小さく）形成され、突出部２２４は、開口部４６内で回転可能となっている。つまり、取付部本体２１０は、突出部２２４が開口部４６内に設けられることにより、正面部１０に支持される。突出部２２４の厚みは、開口部４６の厚みと略同一に形成されている。
【００７３】
突出部２２４の背面側の面には、締付け部２３０の軸部２３４が螺合するためのネジ穴２２６が設けられている。
【００７４】
なお、把手部２１２の周面と、突出部２１４の周面と、巻付け部２１６の周面と、突出部２２４の周面と、板状部２２２の周面と、ネジ穴２２６とは、軸線Ｊを中心とした同心円状に形成されていて、取付部本体２１０は、軸線Ｊを中心に回転する。なお、取付部本体２１０は、全体に一体に形成されている。
【００７５】
なお、突出部２１４の正面側の端部から板状部２２２の背面側の端部までの取付部本体２１０の軸線Ｊ（同心円状の中心を通る仮想直線）に沿った長さは、ケース本体５の正面部１０の正面側の面から背面部４０の背面側の面までの長さと略同一であり、これにより、取付部本体２１０をケース本体５内に配置した状態では、突出部２１４が開口部１６内に配置されるとともに、突出部２２４が開口部４６内に配置されるようになっている。
【００７６】
これにより、把手部２１２を回転させることにより、突出部２１４が開口部１６内で回転し、突出部２２４が開口部４６内で回転するので、面ファスナー取付部２００をスムーズに回転させることができる。
【００７７】
取付部本体２１０は、全体に合成樹脂により一体に形成されている。
【００７８】
次に、締付け部２３０は、把手部２３２と、把手部２３２に固定され把手部２３２の正面側から突出した軸部２３４を有している。
【００７９】
ここで、把手部２３２は、略円錐台形状を呈し、正面側の面と背面側の面は平面状に形成され、正面側の面が背面側の面よりも径が大きく形成されていて、把手部２３２の周面には、凹凸が形成されている。なお、板状部２２２の径は、開口部１６の径よりも小さく形成されていて、先端部２２０は、開口部１６を挿通することができる。
【００８０】
また、把手部２３２の正面側の面の中心と、背面側の面の中心と、軸部２３４の軸線とは、同心円状に形成されている。
【００８１】
面ファスナー取付部２００は、先端部２２０及び巻付け部２１６を開口部１６から挿入し、突出部２１４が開口部１６内に配置され、突出部２２４が開口部４６内に配置された状態で、締付け部２３０の軸部２３４をネジ穴２２６に螺合して、締付け部２３０をケース本体５の外側から固定することにより、ケース本体５に取り付けられる。
【００８２】
面ファスナー取付部２００がケース本体５に取り付けられた状態では、把手部２１２を手でつかんで把手部２１２を回転することにより、突出部２１４が開口部１６内で回転するとともに、突出部２２４が開口部４６内で回転し、巻付け部２１６が回転することになる。
【００８３】
次に、面ファスナー２４０は、全体に柔軟性のある略板状（具体的には、帯板状、略細長長方形状の板状）を呈し、一方の面にフック面２４０ａ（つまり、面ファスナーのフックが設けられた面）が設けられ、他方の面にループ面２４０ｂ（つまり、面ファスナーのループが設けられた面）が設けられ、具体的には、柔軟性のある帯板状の基材の一方の面にフックが設けられ、他方の面にループが設けられている。基材は、例えば、ポリプロピレン製であり、フックとループは、例えば、ポリエステル製である。面ファスナー２４０は、柔軟性を有するので、一方の面に沿って巻回することができる。
【００８４】
面ファスナー２４０の短手方向の長さは、巻付け部２１６の前後方向の長さ（軸線方向の長さ）と略同一（厳密には、巻付け部２１６の前後方向の長さよりも若干短い長さ）であり（面ファスナー２４０の短手方向の長さは、少なくとも巻付け部２１６の前後方向の長さ以下の長さであればよい）、長手方向の長さは、巻付け部２１６の周方向の長さよりも長く、面ファスナー２４０の長手方向の一方の端部を溝部２１７又は溝部２１８に差し込んだ状態で、面ファスナー２４０を巻付け部２１６に巻き付け、他方の端部を既に巻き付けている部分に重ねることができる長さに形成されている。
【００８５】
面ファスナー２４０を取付部本体２１０に巻き付けるには、面ファスナー２４０の長手方向の一方の端部を溝部２１７又は溝部２１８に差し込み（図７（ａ）参照）、フック面が外側になるように、巻付け部２１６に巻き付け、他方の端部の内側の面（すなわち、ループ面２４０ｂ）をすでに巻き付けられている部分の外側の面（すなわち、フック面２４０ａ）に押さえつけることにより、外側のフック面２４０ａと内側のループ面２４０ｂが接着して固定され、面ファスナー２４０を巻付け部２１６に装着することができる（図７（ｂ）参照）。面ファスナー２４０を巻付け部２１６に巻き付けた状態では、フックが設けられた面を外側にして、面ファスナー取付部２００の回転中心である軸線Ｊに対して周状に巻き付けられている。
【００８６】
上記構成のゴミ収納具１の使用方法について説明する。ゴミ収納具１を使用可能な状態にするには、面ファスナー取付部２００を上記のようにケース本体５に取り付け、面ファスナー取付部２００には、面ファスナー２４０を装着しておく。
【００８７】
ゴミ収納具１を釣りの場に携帯するには、図８に示すように、ベルト掛け部１５０、１６０にベルト２５０を装着して、ベルト２５０にズボンのベルトを通して腰の位置に装着する。
【００８８】
なお、ベルト２５０は、帯状を呈し、ベルト２５０の長手方向の一方の端部側の表側の面には、面ファスナーのフック面とループ面の一方が取り付けられ、他方の端部側の裏側の面には、面ファスナーのフック面とループ面の他方が取り付けられていて、フックとループを重ねることにより、ベルト２５０は、ループ状に形成される。
【００８９】
ゴミ収納具１を携帯した状態で、釣りを行い、ゴミが発生した場合には、ゴミ収納具１にゴミを収納する。
【００９０】
おもり等のように手にまとわりつかないゴミの場合には、空間Ｓ１にゴミを収納する。なお、空間Ｓ１にゴミを収納する際には、蓋部１７０を右側面部２０側にスライドさせておく。
【００９１】
また、釣り糸等のように手にまとわりつくゴミの場合には、空間Ｓ２にゴミを入れて、ゴミを面ファスナー２４０の外側の面であるフック面２４０ａに接触させることにより、ゴミをフック面２４０ａに付着させることができるので、ゴミが手にまとわりつくことがない。なお、空間Ｓ２にゴミを収納する際には、蓋部１７０を左側面部３０側にスライドさせておく。
【００９２】
特に、ゴミが釣り糸のように長い場合には、ゴミの一部をフック面２４０ａに付着させた状態で、把手部２１２を回転させることにより、ゴミがフック面２４０ａに巻き取られていくので、釣り糸のようなゴミが手にまとわりつくことがない。
【００９３】
なお、蓋部１７０が設けられているので、空間Ｓ１、Ｓ２に収納されたゴミが外に出てしまうことを防止することができる。特に、空間Ｓ２内のゴミは面ファスナー２４０に付着していて、空間Ｓ２内のゴミが外に出るおそれは小さいので、空間Ｓ１の上方に蓋部１７０を配置しておき、空間Ｓ１内のゴミが外に出るのを防止するのが好ましい。
【００９４】
面ファスナー２４０に付着しているゴミを廃棄するには、締付け部２３０を取付部本体２１０から外した後に、取付部本体２１０をケース本体５から引き出し、面ファスナー２４０のフック面２４０ａに付着しているゴミを取り除く。なお、面ファスナー２４０を取付部本体２１０から外して、ゴミを取り除いてもよい。ゴミを取り除いた面ファスナー２４０は、巻付け部２１６に巻き付けた状態として再使用する。つまり、面ファスナー２４０を取り付けた取付部本体２１０をケース本体５に挿入し、締付け部２３０を取り付ける。
【００９５】
なお、空間Ｓ２内にゴミが残っている場合には、締付け部２３０を取付部本体２１０から外すとともに、取付部本体２１０をケース本体５から外した後に、蓋部１７０を左側面側に移動さえた状態で、ケース本体５を上下逆にする等して空間Ｓ２内のゴミを取り出せばよい。
【００９６】
なお、空間Ｓ１内のゴミについても、蓋部１７０を右側面側に移動させた状態で、ケース本体５を上下逆にする等して空間Ｓ２内のゴミを取り出せばよい。
【００９７】
以上のように、本実施例のゴミ収納具１によれば、面ファスナー取付部２００に面ファスナー２４０が巻き付けられて装着された状態で、把手部２１２を回転させることにより、面ファスナー２４０を回転させることができるので、釣り糸のような手にまとわりつくゴミを容易に面ファスナー２４０に付着させることができ、釣り糸のような手にまとわりつくゴミを容易にゴミ収納具１に収納させることができる。
【符号の説明】
【００９８】
１  ゴミ収納具
３  ケース部
５  ケース本体
７  本体部
１０  正面部
１２  切欠部
１４  帯状縁部
１６  開口部
２０  右側面部
２２  切欠部
２４  帯状縁部
３０  左側面部
３２  左側面部本体部
３４  突状部
３６  板状部
３８  板状部
４０  背面部
４２  切欠部
４４  帯状縁部
４６  開口部
５０  底面部
６０  仕切り部
６２  板状部
６４  突状部
７０  棒状部
７２  連結部
１０５  カバー部
１１０  底面部
１１２  本体部
１１３  切欠部
１１４  ロック部
１１５  板状部
１１６  突出部
１１７  穴部
１２０  背面部
１２２  本体部
１２３  切欠部
１２４  開口部
１２５  開口部
１２６  膨出部
１３０  左側面部
１４０  上面部
１４３  穴部
１５０  ベルト掛け部
１６０  ベルト掛け部
１７０  蓋部
１７０ａ  底面部
１７２  溝状開口部
１７４  突出部
１７６  ネジ
１７８  円環状部
２００  面ファスナー取付部
２１０  取付部本体
２１２  把手部
２１４  突出部
２１６  巻付け部
２１７  溝部
２１８  溝部
２２０  先端部
２２２  板状部
２２４  突出部
２２６  ネジ穴
２３０  締付け部
２３２  把手部
２３４  軸部
２４０  面ファスナー
２４０ａ  フック面
２４０ｂ  ループ面
２５０  ベルト
【図１】
0003231456.tif 000003
【図２】
0003231456.tif 000004
【図３】
0003231456.tif 000005
【図４】
0003231456.tif 000006
【図５】
0003231456.tif 000007
【図６】
0003231456.tif 000008
【図７】
0003231456.tif 000009
【図８】
0003231456.tif 000010